(57)【要約】【課題】タンク内で晶析反応等を行う際の液体を、意図した場所で高精度に採取するサンプリング装置を提供する。【解決手段】タンク３０内の液体を採取するための吸引口１２を有する吸引手段１１と、前記吸引口１２を覆うフィルタ部２０と、該フィルタ部２０を保持している支持体２６と、が備えられているサンプリング装置１０である。吸引口１２を覆うフィルタ部２０があることにより、サンプリング装置１０の使用者が意図した場所で、ろ過された液体を取得できる。また、フィルタ部２０が支持体２６に保持されているので、支持体がない場合と比較して、タンク３０内での液体の取得する位置が精度よく特定できる。【選択図】図１
2018205298.tif 000002
【特許請求の範囲】
【請求項１】
タンク内の液体を採取するための吸引口を有する吸引手段と、
前記吸引口を覆うフィルタ部と、
該フィルタ部を保持している支持体と、が備えられている、
ことを特徴とするサンプリング装置。
【請求項２】
前記フィルタ部はメンブレンフィルタを有している、
ことを特徴とする請求項１に記載のサンプリング装置。
【請求項３】
前記支持体が筒状体であり、
前記吸引手段が前記支持体の内側に設けられている、
ことを特徴とする請求項１または２に記載のサンプリング装置。
【請求項４】
前記支持体の外周が円柱状である、
ことを特徴とする請求項１から３のいずれかに記載のサンプリング装置。
【請求項５】
前記吸引手段は、
前記フィルタ部と接続されているチューブと、
該チューブの前記フィルタが接続されている端部と反対側の端部に設けられている手動吸引部と、を含み、
該手動吸引部には、連続的にサンプリングを行うための逆止弁が設けられている、
ことを特徴とする請求項１から４に記載のサンプリング装置。
【請求項６】
前記フィルタ部の上流側に、
前記フィルタ部でろ別される粒子の大きさよりも大きい粒子をろ別する前置フィルタ部が設けられている、
ことを特徴とする請求項１から５のいずれかに記載のサンプリング装置。
【請求項７】
前記支持体は、
前記フィルタ部と前記前置フィルタ部とを備えている先端ユニットを含み、
該先端ユニットの一部または全部は多角柱形状部であり、
該多角柱形状部の一の面には前記前置フィルタ部が設けられ、
前記多角柱形状部の他の面には前記フィルタ部が設けられている、
ことを特徴とする請求項６記載のサンプリング装置。
【発明の詳細な説明】
【技術分野】
【０００１】
本発明は、サンプリング装置に関する。さらに詳しくは、タンク内の液体を、意図した場所で高精度に採取するサンプリング装置に関する。
【背景技術】
【０００２】
種々の固体粒子を工業的に製造する方法として反応晶析法が広く用いられている。反応晶析法とは、反応生成物を反応液中に析出させて得る方法である。出発原料を反応溶媒に添加して、反応生成物が反応溶媒の飽和溶解度以上の濃度になると、反応生成物が反応液中に固体粒子として析出してくる。したがって、析出してきた反応生成物をろ別することで反応生成物を反応液と分離することができる。一般的に、炭酸カルシウムまたは水酸化ニッケルなどの、化学変化を伴う晶析を行う場合、晶析を適切に行わせて固体粒子を生成する必要がある。ここで「晶析を適切に行わせる」とは、晶析により得られる固体粒子の大きさなどの性状を制御して、所定の性状とするように晶析を行わせることを言う。
【０００３】
所定の性状の固体粒子を得るためには、反応液中に対する出発原料の濃度分布を制御することが重要である。そのため反応液体中に固体粒子が拡散しているスラリーをサンプリングする方法が種々提案されている。
【０００４】
特許文献１には、液体中に、固体粒子が拡散しているスラリーの性状を知るために行うサンプリング方法が開示されている。本文献では、このサンプリング方法で、高濃度石灰水スラリーを長期静置貯蔵した場合に、吊索に複数の採取器を縦方向に設けて、これらを引き揚げることでサンプリングを行う旨が開示されている。
【先行技術文献】
【特許文献】
【０００５】
【特許文献１】特開昭６２−２８３９３号公報
【発明の概要】
【発明が解決しようとする課題】
【０００６】
しかるに、一般的な晶析においては、反応生成物の濃度が反応液中で過飽和状態である場合には時間の経過とともに固体粒子が析出してくるので、特許文献１に記載された従来のサンプリング方法では、すでに析出した固体粒子を含んでサンプリングを行い、さらに採取したスラリーサンプルから時間の経過と共に固体粒子が析出してしまうため、すでに析出していた固体粒子とサンプリング後に析出した固体粒子が混ざってしまい、採取した時間での液体の性状が確認できないという問題があった。
本発明は上記事情に鑑み、タンク内で晶析反応等を行う際の反応生成物を含んだ液体を、意図した場所で高精度に採取するサンプリング装置を提供することを目的とする。
【課題を解決するための手段】
【０００７】
第１発明のサンプリング装置は、タンク内の液体を採取するための吸引口を有する吸引手段と、前記吸引口を覆うフィルタ部と、該フィルタ部を保持している支持体と、が備えられていることを特徴とする。
第２発明のサンプリング装置は、第１発明において、前記フィルタ部はメンブレンフィルタを有していることを特徴とする。
第３発明のサンプリング装置は、第１発明または第２発明において、前記支持体が筒状体であり、前記吸引手段が前記支持体の内側に設けられていることを特徴とする。
第４発明のサンプリング装置は、第１発明から第３発明のいずれかにおいて、前記支持体の外周が円柱状であることを特徴とする。
第５発明のサンプリング装置は、第１発明から第４発明のいずれかにおいて、前記吸引手段は、前記フィルタ部と接続されているチューブと、該チューブの前記フィルタが接続されている端部と反対側の端部に設けられている手動吸引部と、を含み、該手動吸引部には、連続的にサンプリングを行うための逆止弁が設けられていることを特徴とする。
第６発明のサンプリング装置は、第１発明から第５発明のいずれかにおいて、前記フィルタ部の上流側に、前記フィルタ部でろ別される粒子の大きさよりも大きい粒子をろ別する前置フィルタ部が設けられていることを特徴とする。
第７発明のサンプリング装置は、第６発明において、前記支持体は、前記フィルタ部と前記前置フィルタ部とを備えている先端ユニットを含み、該先端ユニットの一部または全部は多角柱形状部であり、該多角柱形状部の一の面には前記前置フィルタ部が設けられ、前記多角柱形状部の他の面には前記フィルタ部が設けられていることを特徴とする。
【発明の効果】
【０００８】
第１発明によれば、吸引口を覆うフィルタ部があることにより、サンプリング装置の使用者が意図した場所で、ろ過された液体を取得できる。また、フィルタ部が支持体に保持されているので、支持体がない場合と比較して、タンク内での液体の取得する位置が精度よく特定できる。これにより、例えば液体が、晶析工程での液体である場合、液体取得後一定の時間が経過した後、採取した液体中に固体粒子がある場合は、採取時点では液体で、採取後発生した固体粒子であることがわかるため、タンク中の液体の性状を高精度に知ることができる。
第２発明によれば、フィルタ部がメンブレンフィルタを有していることにより、厚みがあるデプスタイプのフィルタと比較して、よりコンパクトな構成で高精度に所定の径の固体粒子を排除できる。
第３発明によれば、支持体が筒状体であり、吸引手段が支持体の内側に設けられていることにより、吸引手段の外側がタンク内の液体と接触するのを抑制でき、サンプリングごとの交換作業時に清掃などの負担を減らすことができる。
第４発明によれば、筒状の支持体の外周が円柱状であることにより、タンク内の液体の流れに与える影響を抑制することができる。
第５発明によれば、吸引手段が手動吸引装置を含み、この手動吸引装置に連続的にサンプリングを行うための逆止弁が設けられていることにより、シンプルな構成で連続的にサンプリングを行うことができる。
第６発明によれば、フィルタ部の上流側に、より大きい粒子をろ別する前置フィルタ部が設けられていることにより、大きい粒子が前置フィルタ部で除去され、フィルタ部のつまりが抑制され、通過できる液体の量を増やすことができる。
第７発明によれば、先端ユニットの一部または全部が多角柱形状部であり、いずれかの面に前置フィルタ部が、他の面にフィルタ部が設けられていることにより、液体をサンプリングするユニットをコンパクトにできる。これによりタンク内の液体の流れに与える影響が抑制される。
【図面の簡単な説明】
【０００９】
【図１】本発明の第１実施形態に係るサンプリング装置の吸引口近傍の正面断面図である。
【図２】本発明の第１実施形態に係るサンプリング装置の正面方向からの使用説明図である。
【図３】本発明の第１実施形態に係るサンプリング装置の斜視方向からの使用説明図である。
【図４】本発明の第１実施形態に係るサンプリング装置を構成する吸引手段の概略構成説明図である。
【図５】本発明の第２実施形態に係るサンプリング装置の吸引口近傍の正面断面図である。
【図６】本発明の第３実施形態に係るサンプリング装置の先端ユニットの斜視説明図である。
【図７】図６のサンプリング装置の先端ユニットの正面方向からの断面図である。
【図８】図６のサンプリング装置の先端ユニットの回路図である。
【発明を実施するための形態】
【００１０】
つぎに、本発明の実施形態を図面に基づき説明する。ただし、以下に示す実施の形態は、本発明の技術思想を具体化するためのサンプリング装置１０を例示するものであって、本発明はサンプリング装置１０を以下のものに特定しない。
【００１１】
（第１実施形態）
図２には、本発明の第１実施形態に係るサンプリング装置１０の正面方向からの使用説明図を示す。図２は、サンプリング装置１０が使用されているタンク３０を正面方向から見た図であり、タンク３０は断面図として表されている。また、図１には、本実施形態に係るサンプリング装置１０の吸引口１２近傍の正面断面図を示す。なお、本明細書では、サンプリング装置１０で吸引時に液体が流れる方向を基準として上流側下流側と記載する。
【００１２】
本実施形態に係るサンプリング装置１０は、タンク３０内の液体を採取するための吸引口１２を有する吸引手段１１と、吸引口１２を覆うフィルタ部２０と、吸引手段１１の一部または全部を内部に備え、フィルタ部２０を保持している支持体２６と、が備えられている。
【００１３】
図２に示すように、タンク３０は、ステンレス製の有底円筒体であり、上部のふたが取り外すことができる構成である。タンク３０の中では、例えば炭酸カルシウムまたは水酸化ニッケルなどの、化学変化を伴う晶析が行われる。化学変化を伴う晶析の場合、タンク３０内には、所定の第１液体が貯えられており、この第１液体が、回転軸３３の先端に設けられている回転翼３２により撹拌される。タンク３０の内側側面には、複数の邪魔板３４が設けられており、この邪魔板３４により、液体に上下の流れが形成されている。またタンク３０には、タンク３０内に既に貯えられている第１液体と化学反応して晶析を行う第２液体の、液体供給パイプ３１が設けられている。この液体供給パイプ３１から第２液体が供給されることで、第１液体と第２液体とが化学反応を起こし、晶析することにより所定の固体粒子が析出する。
【００１４】
図２に示すように、サンプリング装置１０を構成する支持体２６は、タンク３０のふたに固定されている。この支持体２６は、内部に空間がある円筒の筒状体であり、その長さは、先端がタンク３０の底付近まで到達することができる長さである。タンク３０のふたには、サンプリング装置１０の先端の高さの調整機構が備えられており、タンク３０内の任意の高さでサンプリングすることができる。
【００１５】
図１に示すように、タンク３０のふたに固定されている支持体２６は、ステンレス製の長尺の円筒体である本体２７と、この本体２７の下方先端に溶接されている先端部２８とを含んで構成されている。先端部２８は円筒体であり、その両端面間の長さが、円筒体の直径よりも短い扁平な形状である。その外周には、キャップ状のフィルタ押え２２と螺合するための雄ねじが形成されている。先端部２８の内周側の直径は、後述するフィルタ部２０の外径よりも小さくなっており、先端部２８がフィルタ部２０の上側を押えている。この先端部２８とフィルタ押え２２とで挟み込むことによりフィルタ部２０が支持体２６に保持されている。
【００１６】
なお、支持体２６を構成する本体２７の形状について、円筒体である旨を説明したが、これに限定されるものではなく、例えば断面が三角形であったり、楕円形であったりする場合もある。また、本体２７の形状は、筒状体でない場合もある。例えば本体２７の形状が等辺山形鋼のようなアングルである場合もある。
【００１７】
先端部２８と螺合するフィルタ押え２２は、有底円筒形状をしており、円筒形状部分の内周面側には、先端部２８と螺合する雌ねじが形成されている。また、有底円筒形状の底部は、フィルタ部２０を押えることができる形状である。なお、図示していないが、底部とフィルタ部２０との間には、パッキンが設けられており、フィルタ押え２２の底部からタンク３０内の液体が、支持体２６内部に侵入するのを防止している。
【００１８】
フィルタ部２０は、吸引手段１１を構成するチューブ１５の吸引口１２に取り付けられ、吸引口１２を覆っている。このため吸引手段１１内に固体粒子が取り除かれた液体が取り込まれる。フィルタ部２０は、使い捨てタイプのフィルタユニットであり、円板形状部の中心に、軸形状部が、円板形状の円板面に対して垂直に設けられた形状をしており、円板形状部に、円板状のメンブレンフィルタ２１が内蔵されている。
【００１９】
フィルタ部２０の材質は、サンプリングする液体の種類に応じて選定されるが、ポリプロピレンなどを好適に用いることができる。またメンブレンフィルタ２１の材質も、同じくサンプリングする液体の材質に応じて選定されるが、ＰＴＦＥなどを好適に用いることができる。メンブレンフィルタ２１の孔径は、析出する固体粒子の径によって選定されるが、例えば直径１μｍ前後のものを好適に用いることができる。
【００２０】
なおフィルタ部２０の形状等については、上記の形状に限定されるものではなく、メンブレンフィルタ２１を固定できる形状であれば問題ない。また場合によってはデプスタイプのフィルタも用いることができる。
【００２１】
吸引手段１１を構成するチューブ１５は、支持体２６内に吸引口１２を有し、この吸引口１２からタンク３０内の液体を採取する。チューブ１５の材質は、サンプリングする液体の種類に応じて選定される。材質としては、金属製、または樹脂製が考えられるが、チューブ１５の材質は、筒状の支持体２６の上方から飛び出した部分での取り扱いの容易さを考慮すると樹脂製が望ましく、具体的にはポリウレタンが好適に用いられる。
【００２２】
吸引手段１１の吸引口１２を覆うフィルタ部２０があることにより、特許文献１に記載のサンプリング方法では、すでに析出した固体粒子を含んでサンプリングを行わざるを得なかったが、本発明に係るサンプリング装置１０では、使用者３５が、この固体粒子を含まない液体、すなわちろ過された液体を取得できる。さらに、フィルタ部２０が支持体２６に保持されているので、支持体２６がない場合と比較して、タンク３０内での液体の取得する位置が精度よく特定できる。
【００２３】
例えば液体が、晶析工程での液体である場合、液体取得後一定の時間が経過した後、採取した液体中に固体粒子がある場合は、採取時点では液体で、採取後発生した固体粒子であることがわかるため、液体および発生した固体粒子に含まれる第１液体と第２液体の量を分析することで、タンク３０中の液体の性状を高精度に知ることができる。
【００２４】
本実施形態に係るサンプリング装置１０では以下の（１）から（３）の効果を奏する
（１）フィルタ部２０がメンブレンフィルタ２１を有していることにより、厚みがあるデプスタイプのフィルタと比較して、高精度に所定の径の固体粒子を排除できる。すなわち、デプスタイプのフィルタは、繊維の間を高精度に制御することができず、ろ別できる粒子の径にばらつきが生じやすいが、メンブレンフィルタ２１は面タイプのフィルタであることにより孔径を高精度に制御でき、ろ別の径にばらつきが生じにくく、このため高精度に所定の径の固体粒子を排除できる。
【００２５】
（２）支持体２６が筒状体であり、吸引手段１１が支持体２６の内側に設けられていることにより、吸引手段１１の外側がタンク３０内の液体と接触するのを抑制でき、サンプリングごとの交換作業時に清掃などの負担を減らすことができる。
【００２６】
（３）筒状の支持体２６の外周が円柱状であることにより、タンク３０内の液体の流れに与える影響を抑制することができる。
【００２７】
図３には、本発明の実施形態に係るサンプリング装置１０の斜視方向からの使用説明図を示す。また、図４には本発明の第１実施形態に係るサンプリング装置１０を構成する吸引手段１１の概略構成を示す。
【００２８】
タンク３０のふたには、サンプリング装置１０を構成する支持体２６の、タンク３０内での高さの調整手段が設けられるとともに、吸引手段１１を構成するチューブ１５と、このチューブ１５の端部に設けられている手動吸引部と、が設けられている。このチューブ１５は、図１に記載のものであり、フィルタ部２０とその端部で結合している。
【００２９】
手動吸引部は、図４で示すように、注射器１４と、２つの逆止弁１３−１、１３−２と、が分岐を含んだ回路で構成されている。なお逆止弁１３−１、１３−２と、注射器１４との接続は、弁の接続方向の順逆方向に互いに異なっている。この注射器１４ではピストンが実線で記載された状態から、破線で記載された状態に引かれるときには、第１逆止弁１３−１が閉じられ、第２逆止弁１３−２が開き、吸引口１２から、ろ過された液体が第２逆止弁１３−２を通して流れる。次に注射器１４のピストンが破線で記載された状態から実線で記載された状態に押されるときは、第２逆止弁１３−２が閉じられ、第１逆止弁１３−１が開き、注射器１４の内部の空気が第１逆止弁１３−２を通して排出される。このように手動吸引部を操作することで、サンプリング装置１０の使用者３５は、チューブ５の内側の圧力を連続的に下げ、吸引口１２からフィルタ部２０によりろ過された、タンク３０内の液体のみを採取できる。
【００３０】
吸引手段１１が手動吸引装置を含み、この手動吸引装置に接続向きが順逆で異なる二つの逆止弁１３−１、１３−２が設けられていることにより、シンプルな構成で連続的にサンプリングを行うことができる。
【００３１】
また、本発明のサンプリング装置１０の他の使用方法としては、サンプリングした液体の状態と晶析した固体粒子の性状（粒径や粒子の表面状態等）を調べ、所望の性状を有する固体粒子を得るための晶析条件（撹拌翼の回転数または第２液体の供給量）に調整することに使用することができる。
【００３２】
サンプリング装置１０の使用者３５は、たとえば以下の要領でサンプリング装置１０を使用できる。すなわち、図１にある状態にサンプリング装置１０を組立て、第１液体が貯えられたタンク３０内に漬ける。この後第１液体が回転翼３２によりかき混ぜられ、所定の流れが形作られ、第２液体が液体供給パイプ３１から供給されて、晶析が行われる。所定の時間の経過後、使用者３５は注射器１４を操作して、吸引手段１１の吸引口１２から、ろ過された液体を採取する。この作業がタンク３０内の複数の点で実施される。ろ過された液体中の第２液体の濃度を測定することで、コンピュータ解析で導かれた結果と照合し、コンピュータ解析の精度を向上させることも可能である。
【００３３】
本実施形態では、タンク３０内の支持体２６の下端に１つのフィルタ部２０が設けられている構成について説明したが、特にこれに限定されない。例えば、支持体２６の先端に、下向きでなく横向きに複数の吸引口１２が設けられることもある。また、支持体２６の下端だけでなく、複数の吸引口１２を上下に並べて設けることも可能である。この場合、上下位置については複数のサンプリングを行うことができる。
【００３４】
また本実施形態では、タンク３０内からタンク３０の外側にサンプリングした液体を取り出す構成について説明したが、特にこれに限定されない。例えば、支持体２６の先端近傍に、サンプリングした液体を貯える貯蔵手段を設けることも可能である。
【００３５】
さらに本実施形態では、吸引手段１１に手動吸引部が設けられている形態について説明したが、これに限定されない。例えば吸引手段１１として真空ポンプなどを用いることも可能である。
【００３６】
（第２実施形態）
図５には、本発明の第２実施形態に係るサンプリング装置１０の吸引口１２近傍の正面断面図を示す。第１実施形態との相違点は、フィルタ部２０の上流側（図５においては下側）に、前置フィルタ部２０ａが設けられている点である。
【００３７】
前置フィルタ部２０ａは、フィルタ部２０と同じく使い捨てタイプのフィルタユニットであり、円板形状部の中心に、軸形状部が、円板形状の円板面に対して垂直に設けられた形状をしており、円板形状部に、円板状のメンブレンフィルタ２１ａが内蔵されている。
【００３８】
本実施形態では、前置フィルタ部２０ａ内にあるメンブレンフィルタ２１ａでろ別される粒子は、フィルタ部２０内にあるメンブレンフィルタ２１でろ別される粒子よりも大きい。これは前置フィルタ部２０ａ内にあるメンブレンフィルタ２１ａの目開きを、フィルタ部２０内にあるメンブレンフィルタ２１の目開きよりも大きくしているからである。
【００３９】
フィルタ部２０の軸形状部と前置フィルタ部２０ａの軸形状部とは、チューブ１５により連結されている。このように連結されていることから、図５の図面において下側から吸引された液体は、前置フィルタ部２０ａを通過した後、フィルタ部２０を通過する。また、フィルタ部２０の円板形状部と前置フィルタ部２０ａの円板形状部の間には、円筒形状のスペーサ２９が設けられている。このスペーサ２９が設けられていることにより、フィルタ部２０と前置フィルタ部２０ａとの間の姿勢が一定に保持され、フィルタ部２０とともに前置フィルタ部２０ａが支持体２６に保持されている。
【００４０】
先端部２８と螺合するフィルタ押え２２における、第１実施形態との相違点は、図５の紙面において、上下が長い構造となっている点であり、他の構造は第１実施形態と同じである。なお、図示していないが、フィルタ押え２２の底部と前置フィルタ部２０ａとの間には、パッキンが設けられており、フィルタ押え２２の底部からタンク３０内の液体が、支持体２６内部に侵入するのを防止している。
【００４１】
本実施形態では、フィルタ部２０の上流側に、より大きい粒子をろ別する前置フィルタ部２０ａが設けられていることにより、大きい粒子が前置フィルタ部２０ａで除去され、フィルタ部２０のつまりが抑制され、通過できる液体の量を増やすことができる。
【００４２】
（第３実施形態）
図６には、本発明の第３実施形態に係るサンプリング装置１０の先端ユニット４０の斜視説明図を、図７には、この先端ユニット４０の正面方向からの断面図を示す。本実施形態のサンプリング装置１０は、支持体２６の一部を構成する先端ユニット４０が設けられている。この先端ユニット４０は、ろ過性能が同じである複数のフィルタ部２０を保持している。
【００４３】
先端ユニット４０は、上下方向の長さが長い四角柱形状をしている。すなわち、先端ユニット４０の全部が、四角柱形状部である。この四角柱形状部は、多角柱形状部の一つである。先端ユニット４０の側面の一つであるユニット正面４０ａには、フィルタサポータ４１および正面ふた４２が取り付けられる。フィルタサポータ４１には、３つの前置フィルタ部２０ａが並列に保持されている。この前置フィルタ部２０ａは、メンブレンフィルタ２１ａと、このメンブレンフィルタ２１の形状を保持するサポートスクリーン２１ｂと、リング状押さえ４４と、を含んで構成されている。
【００４４】
フィルタサポータ４１は、正面ふた４２によりユニット正面４０ａに固定される。正面ふた４２の、フィルタサポータ４１に向かった面には、３つの前置フィルタ部２０ａに、吸い込んだ液体を送り込むための、図示しない溝が設けられている。また正面ふた４２には、液体を吸い込むための導入口４２ａが設けられている。加えてユニット正面４０ａには、第１連通溝４０ｅが設けられている。この第１連通溝４０ｅにより、３つの前置フィルタ部２０ａを通過したろ液が互いに連通することができる。
【００４５】
上記のような構成が、ユニット正面４０ａに設けられていることにより、導入口４２ａから導入された液体が、正面ふた４２に設けられている溝により３つの前置フィルタ部２０ａを通過し、通過した後の液体が、ユニット正面４０ａに設けられている第１連通溝４０ｅにより互いに連通する。
【００４６】
先端ユニット４０の側面の１つであるユニット右側面４０ｂは、ユニット正面４０ａに向かって右側の面である。このユニット右側面４０ｂには、２つの配置孔４０ｆが設けられている。これらの配置孔４０ｆには、それぞれフィルタ部２０が配置される。そしてそれぞれの配置孔４０ｆが側面ふた４３によってふさがれている。また側面ふた４３には、第２連通溝４３ａが設けられている（図７参照）。
【００４７】
先端ユニット４０の側面の一つであるユニット左側面４０ｃは、ユニット正面４０ａに向かって左側の面である。図７に示すように、ユニット左側面４０ｃにも同じように２つの配置孔４０ｆが設けられている。
【００４８】
先端ユニット４０のユニット正面４０ａに設けられた第１連通溝４０ｅは、ユニット右側面４０ｂおよびユニット左側面４０ｃに設けられている配置孔４０ｆにそれぞれ連通している。配置孔４０ｆへは、側面ふた４３に設けられている第２連通溝４３ａを介して連通している。このように連通していることで、導入口４２ａから導入された液体は、前置フィルタ部２０ａを通過した後、第１連通溝４０ｅを介していずれかの配置孔４０ｆに導かれる。
【００４９】
図７に示すように、先端ユニット４０には、上下の連通孔４５が設けられている。ユニット上面４０ｄから突出するように、この連通孔４５に接続継手１５ａが取り付けられている。そして接続継手１５ａはチューブ１５に接続されている。また、連通孔４５には、フィルタ部２０が配置される配置孔４０ｆの中心に設けられた孔が連通している。吸引口１２はタンク内の液体を採取する部分を言うため、本実施形態では吸引口１２は上下の連通孔４５に連通する配置孔４０ｆの中心に設けられた孔を意味する。
【００５０】
図８には、先端ユニット４０の回路図を示す。図８の紙面上右に設けられているエアポンプＰにより先端ユニット４０内を負圧にでき、液体が左から右に向けて流れる。液体は、導入口４２ａから吸い込まれた後、３つある前置フィルタ部２０ａのいずれかを通過し、第１連通溝４０ｅで互いに連通できる状態となる。そして、連通できる状態となった後、４つあるフィルタ部２０を通過して液体が吸引口１２へ導かれる。なお先端ユニット４０においても前置フィルタ部２０ａ内にあるメンブレンフィルタ２１ａでろ別される粒子は、フィルタ部２０内にあるメンブレンフィルタ２１でろ別される粒子よりも大きい。
【００５１】
本実施形態では、フィルタ部２０の上流側に、より大きい粒子をろ別する前置フィルタ部２０ａが設けられていることにより、大きい粒子が前置フィルタ部２０ａで除去され、フィルタ部２０のつまりが抑制され、通過できる液体の量を増やすことができる。
【００５２】
本実施形態では、先端ユニット４０の一部または全部が多角柱形状部であり、いずれかの面に前置フィルタ部２０ａが、他の面にフィルタ部２０が設けられていることにより、液体をサンプリングするユニットをコンパクトにできる。これによりタンク３０内の液体の流れに与える影響が抑制される。
【００５３】
なお、第３実施形態では、先端ユニット４０は四角柱形状をしていたが、これに限定されない。たとえば、先端ユニット４０の形状としては、三角柱形状、または五角柱形状が含まれる。また、円柱形状の軸方向の一部を平面に加工し、軸方向の一部が多角柱形状をしている場合も含まれる。
【産業上の利用可能性】
【００５４】
本発明に係るサンプリング装置１０は、化学変化を伴う晶析など、固体粒子を含んだ液体であるスラリー内の液体の状態を高精度に知る必要のある、各種のプロセスで用いることができる。晶析では、上記で述べたように、水酸化ニッケル製造時の晶析工程、砂糖または硫安の製造における晶析工程などで、使用することができる。
【符号の説明】
【００５５】
１０  サンプリング装置
１１  吸引手段
１２  吸引口
１３  逆止弁
１５  チューブ
２０  フィルタ部
２０ａ  前置フィルタ部
２６  支持体
３０  タンク
４０  先端ユニット
【図１】
2018205298.tif 000003
【図２】
2018205298.tif 000004
【図３】
2018205298.tif 000005
【図４】
2018205298.tif 000006
【図５】
2018205298.tif 000007
【図６】
2018205298.tif 000008
【図７】
2018205298.tif 000009
【図８】
2018205298.tif 000010